(57)【要約】【課題】難聴者との対話や周囲の雑音が大きい状況での会話を好適に補助・支援することができ、携帯性に優れた携帯型伝声管を提供すること。【解決手段】ほぼ筒状の本体１と、この本体１の両端に設けられた開口部５，６とを備え、前記本体１が伸縮自在である。【選択図】図１
2008015131.tif 000002
【特許請求の範囲】
【請求項１】
ほぼ筒状の本体と、この本体の両端に設けられた開口部とを備え、前記本体が伸縮自在であることを特徴とする携帯型伝声管。
【請求項２】
前記本体が、互いにスライド可能に設けられた複数の筒状部材を有している請求項１に記載の携帯型伝声管。
【請求項３】
前記本体が、蛇腹状をしている請求項１に記載の携帯型伝声管。
【請求項４】
前記開口部に保護材を設けてある請求項１〜３のいずれかに記載の携帯型伝声管。
【請求項５】
前記本体に吊り下げ用フック材を設けてある請求項１〜４のいずれかに記載の携帯型伝声管。
【発明の詳細な説明】
【技術分野】
【０００１】
この発明は、携帯型伝声管に関し、特に、福祉施設や一般家庭等において難聴者と会話をする際、あるいは周囲に騒音のある状況で会話をする際に、会話補助具として用いて好適な携帯型伝声管に関する。
【背景技術】
【０００２】
従来より、難聴者の聴力を補うために補聴器が用いられている。
【発明の開示】
【発明が解決しようとする課題】
【０００３】
しかし、上記補聴器により難聴者の聴力を常に十分に補うことができるとは限らず、補聴器の機能が不十分である等の場合、難聴者と会話する者は当該難聴者のために普段より数段大きな声を出す必要があり、例えば夜間などそのような大きな声が出せないときには、難聴者との意志疎通を図るのが困難になるという問題があった。
【０００４】
また、例えば、工事現場や競技場など周囲に騒音のある状況では、健常者どうしが大声を出し合っても会話をするのは殆ど不可能であった。
【０００５】
この発明は、上記の事柄に留意してなされたものであり、その目的は、難聴者との対話や周囲の雑音が大きい状況での会話を好適に補助・支援することができ、携帯性に優れた携帯型伝声管を提供することである。
【課題を解決するための手段】
【０００６】
上記目的を達成するために、この発明の携帯型伝声管は、ほぼ筒状の本体と、この本体の両端に設けられた開口部とを備え、前記本体が伸縮自在であることを特徴としている（請求項１）。
【０００７】
前記携帯型伝声管において、前記本体が、互いにスライド可能に設けられた複数の筒状部材を有していてもよい（請求項２）。
【０００８】
また、前記携帯型伝声管において、前記本体が、蛇腹状をしていてもよい（請求項３）。
【０００９】
さらに、前記携帯型伝声管において、前記開口部に保護材を設けてあってもよい（請求項４）。
【００１０】
また、前記携帯型伝声管において、前記本体に吊り下げ用フック材を設けてあってもよい（請求項５）。
【発明の効果】
【００１１】
請求項１に係る発明では、一方の開口部を聞き手の耳部にあて、他方の開口部を話し手の口部に近づけることにより、難聴者との対話や周囲の雑音が大きい状況での会話を好適に補助・支援することができる携帯型伝声管が得られる。また、この携帯型伝声管は、その本体が伸縮自在であり持ち運ぶ際には縮めることができるため、携帯性にも非常に優れている。
【００１２】
請求項２、３に係る発明では、上記の効果に加えて、構造がシンプルであり製造コストが低廉となるという効果を奏する携帯型伝声管が得られる。
【００１３】
また、請求項３に係る発明では、本体が蛇腹状をしていることから、その形状の変形についての自由度が高く、より優れた使用性を有する携帯型伝声管が得られる。
【００１４】
請求項４に係る発明では、請求項１〜３に係る発明が奏する効果を同様に奏する上、聞き手や話し手の耳部や口部を保護することができるという効果をも奏する携帯型伝声管が得られる。
【００１５】
請求項５に係る発明では、請求項１〜４に係る発明が奏する効果の他、吊り下げ用フック材によって携帯性を向上させることができるという効果をも奏する携帯型伝声管が得られる。
【発明を実施するための最良の形態】
【００１６】
図１および図２は、この発明の第１の実施の形態に係る携帯型伝声管の展開状態および収納状態の構成を概略的に示す斜視図、図３は、前記携帯型伝声管の使用例を概略的に示す斜視図、図４は、前記携帯型伝声管の構成を概略的に示す縦断面図である。
【００１７】
前記携帯型伝声管は、図１に示すように、ほぼ筒状の本体１を備え、この本体１は伸縮自在となっている。すなわち、本体１は、図１および図４に示すように、互いにスライド可能に設けられ、例えばポリカーボネート等の合成樹脂からなる複数の筒状部材Ｔを有している。
【００１８】
この実施の形態では、前記筒状部材Ｔとして、ほぼ円筒状に形成され径が互いに異なる四つの筒状部材Ｔ１，Ｔ２，Ｔ３，Ｔ４が設けられており、最も径の大きい第一筒状部材Ｔ１の内側に沿って二番目に径の大きい第二筒状部材Ｔ２がスライドし、第二筒状部材Ｔ２の内側に沿って三番目に径の大きい第三筒状部材Ｔ３がスライドし、第三筒状部材Ｔ３の内側に沿って最も径の小さい第四筒状部材Ｔ４がスライドするように構成されている。
【００１９】
そして、図４に示すように、前記第二筒状部材Ｔ２、第三筒状部材Ｔ３および第四筒状部材Ｔ４の先端（図示左端）側には外向きフランジ２ａ，２ｂ，２ｃが設けられていると共に、第一筒状部材Ｔ１、第二筒状部材Ｔ２および第三筒状部材Ｔ３の内周壁にはそれぞれ、前記外向きフランジ２ａ，２ｂ，２ｃの先端（図示左端）側への移動および後端（図示右端）側への移動を規制する内向きフランジ３、４が形成されている。
【００２０】
従って、上記の構成からなる本体１は、図１に示す展開状態と図２に示す収納状態とに自由に変更することができる。
【００２１】
一方、図１および図４に示すように、前記本体１の両端には開口部５，６が設けられており、当該開口部５，６には保護材７，８が取り付けられている。すなわち、この実施の形態の携帯型伝声管は、図３に示すように用いられるものであり、一方の開口部５が聞き手Ｌの耳部にあてられ、他方の開口部６が話し手Ｓの口部にあたることもある。よって、かかる聞き手Ｌの耳部と話し手Ｓの口部を保護するために前記保護材７，８が設けられている。そして、前記保護材７，８は、例えば耐久性のあるスポンジ、エラストマー樹脂、シリコン系のゴム材などを用いて形成され、適宜の柔軟性を持つように構成されている。また、保護材７，８は、前記開口部５，６の外周側に着脱自在な状態で嵌め込まれている。
【００２２】
そして、例えば、前記保護材７を青色、保護材８を赤色に着色することができる。このように、異なる色に着色された保護材７，８は、保護材７を聞き手Ｌの耳側に、かつ、保護材８を話し手Ｌの口側に確実にあてるための目安となり、この実施の形態に係る携帯型伝声管の使用の際にその向きを容易に判別することを可能とする。なお、保護材７，８の色は種々のものを採用できる。
【００２３】
また、図１および図２に示すように、前記本体１をなす第一筒状部材Ｔ１には、吊り下げ用フック材９が折り畳み可能に設けられている。ここで、フック材９を折り畳み式にするための構造としては種々のものが採用できるが、この実施の形態では、第一筒状部材Ｔ１に、フック材９の基端部を保持するヒンジ部（図示していない）を設けるとともに、フック材９を折り畳んだときにこれを収容する溝１０を設けてある。
【００２４】
上記の構成からなる携帯型伝声管では、図３に示すように展開状態で用いることにより、その拡声効果および集音効果によって話し手Ｓの声が聞き手Ｌに良好に伝わることになる。また、図２に示すように収納状態とし、フック材９を利用することで、持ち運びに便利となる。
【００２５】
さらに、前記外向きフランジ２ａ，２ｂ，２ｃの外周壁には環状溝１１が設けられているとともに、第一筒状部材Ｔ１、第二筒状部材Ｔ２および第三筒状部材Ｔ３の内周壁の適宜の位置にはそれぞれ環状突起１２が設けられており、これらの嵌まり込みにより、前記携帯型伝声管は上記展開状態および収納状態のいずれにおいても少しの力では伸縮せず安定することになる。
【００２６】
なお、この実施の形態において、前記筒状部材Ｔは、音の反射性能に優れた材料によって形成されていることが上記携帯型伝声管の声の伝達性能を向上させる点で望ましいが、そのような材料で形成されていない場合であっても、例えば筒状部材Ｔの内側に音の反射性能に優れた反射材を設けることによって同様の効果が得られる。
【００２７】
また、前記保護材７，８が抗菌剤入りの材料で形成されていてもよく、この場合には衛生上の面でより好ましい携帯型伝声管が得られることになる。
【００２８】
さらに、前記保護材７，８や本体１が、話し手Ｓの口臭を消臭するための消臭剤を混入した材料で形成されていてもよく、上記消臭剤に代えて、または加えて、芳香剤が混入されていてもよい。
【００２９】
また、前記保護材７，８は、上述した嵌め込みに限らず、接着剤による接着等、他の適宜の方法で開口部５，６に対して取り付けられていてもよく、保護材７，８と本体１とが一体成形されていてもよい。
【００３０】
図５は、上記第１の実施の形態の変形例に係る携帯型伝声管の構成を概略的に示す斜視図、図６は、変形例に係る携帯型伝声管の使用例を概略的に示す斜視図、図７は、変形例に係る携帯型伝声管の構成を概略的に示す縦断面図である。なお、図１〜図４に示したものと同一・同等のものについては同じ符号を付し、その説明を省略する。
【００３１】
図５〜図７に示す携帯型伝声管は、図１〜図４に示す携帯型伝声管と比べて、筒状部材Ｔの構成の点でのみ異なっている。すなわち、変形例に係る携帯型伝声管は、図５および図７に示すように、筒状部材Ｔとして、同一構造の二つの大筒状部材Ｔａと、これら二つの大筒状部材Ｔａより径が小さい小筒状部材Ｔｂとが設けられている。
【００３２】
そして、前記大筒状部材Ｔａは、前記第一筒状部材Ｔ１と同一構造とすることができる。また、前記小筒状部材Ｔｂは、二つの大筒状部材Ｔａの内側に沿ってスライドするように構成されており、その両端に設けられた外フランジ２ｄが、各大筒状部材Ｔａの内向きフランジ４，５に当接することによって、前記スライドの規制が行われる。
【００３３】
図５〜図７に示す携帯型伝声管によっても、図１〜図４に示した携帯型伝声管と同様の効果が得られる。
【００３４】
図８は、この発明の第２の実施の形態に係る携帯型伝声管の構成を概略的に示す斜視図、図９は、前記携帯型伝声管の使用例を概略的に示す斜視図、図１０（Ａ）、（Ｂ）および（Ｃ）は、前記携帯型伝声管の展開状態、半開状態および収納状態の構成を概略的に示す正面図である。なお、図１〜図７に示したものと同一・同等のものについては同じ符号を付し、その説明を省略する。
【００３５】
この実施の形態に係る携帯型伝声管は、第１の実施の形態に係る携帯型伝声管と比べて、本体１が、複数の筒状部材Ｔを有しているのではなく、蛇腹状に構成されており、また、この蛇腹状の本体１に、吊り下げ用フック材１３が係止されている点で異なる。
【００３６】
ここで、前記蛇腹状の本体１は、例えば、合成樹脂からなり、ブロー成型により成形されている。また、前記フック材１３は、例えばインジェクション成型により成形されており、その本体部分１３ａがほぼＣ字形状になっており、本体１に係止できるように構成されている。
【００３７】
そして、上記の構成からなる携帯型伝声管では、図１０（Ａ）に示す展開状態とすることで、図９に示すように、第１の実施の形態に係る携帯型伝声管と同様に用いることができ、また、上記展開状態の携帯型伝声管を縮めると、図１０（Ｂ）に示す半開状態を経て、図１０（Ｃ）に示す収納状態となり、この状態では持ち運びに便利となる。すなわち、第２の実施の形態に係る携帯型伝声管によっても、第１の実施の形態に係る携帯型伝声管と同様の効果が得られる。
【００３８】
なお、図８〜図１０には、本体１全体を蛇腹状にした例を示したが、図１１（Ａ）および（Ｂ）に示すように、本体１を筒状部分１ａと蛇腹部分１ｂとで構成してもよい。
【００３９】
図１１（Ａ）に示すように、蛇腹部分１ｂを本体１の中央部に設けた場合には、本体１全体を大きく曲げることができる。従って、図３、図６、図９に示す例では、聞き手Ｌと話し手Ｓとが横向きで会話することになるが、図１１（Ａ）に示す携帯型伝声管を用いれば、これを大きく曲げることにより、聞き手Ｌと話し手Ｓとが互いに正面を向き合ったまま会話することも可能となる。
【００４０】
また、図１１（Ｂ）に示すように、蛇腹部分１ｂを本体１の両端部に設けた場合には、開口部５，６の角度や位置の微調整を簡単に行うことができるようになり、それだけ使用性の面で向上を図ることができる。
【００４１】
なお、図１１（Ａ）および（Ｂ）に示す携帯型伝声管の上記の効果はいずれも、図８〜図１０に示す携帯型伝声管によっても得ることができる。また、前記筒状部分１ａおよび蛇腹部分１ｂの数および配置は、図１１（Ａ）および（Ｂ）に示したものに限られず、種々のものを採用できる。
【００４２】
また、図１〜図１１に示した各実施の形態におけるそれぞれの構成は、他の実施の形態に適宜に組み合わせて用いてもよいことはいうまでもない。
【００４３】
また、図１〜図１１に示す各実施の形態において、フック材９，１３の構成は種々に変形することができ、例えば、図１２（Ａ）、（Ｂ）に示すように、フック兼把手として用いることができるように構成されたフック材１４を、図１〜図４に示す第一筒状部材Ｔ１、図５〜図７に示す大筒状部材Ｔａ、図１１（Ａ）および（Ｂ）に示す筒状部分１ａ等に設けてもよい。
【図面の簡単な説明】
【００４４】
【図１】この発明の第１の実施の形態に係る携帯型伝声管の展開状態の構成を概略的に示す斜視図である。
【図２】前記携帯型伝声管の収納状態の構成を概略的に示す斜視図である。
【図３】前記携帯型伝声管の使用例を概略的に示す斜視図である。
【図４】前記携帯型伝声管の構成を概略的に示す縦断面図である。
【図５】上記第１の実施の形態の変形例に係る携帯型伝声管の構成を概略的に示す斜視図である。
【図６】上記変形例に係る携帯型伝声管の使用例を概略的に示す斜視図である。
【図７】上記変形例に係る携帯型伝声管の使用例を概略的に示す縦断面図である。
【図８】この発明の第２の実施の形態に係る携帯型伝声管の構成を概略的に示す斜視図である。
【図９】前記携帯型伝声管の使用例を概略的に示す斜視図である。
【図１０】（Ａ）、（Ｂ）および（Ｃ）は、前記携帯型伝声管の展開状態、半開状態および収納状態の構成を概略的に示す正面図である。
【図１１】（Ａ）および（Ｂ）は、前記携帯型伝声管の変形例の構成を概略的に示す正面図である。
【図１２】（Ａ）および（Ｂ）は、上記各実施の形態における吊り下げ用フック材の変形例の構成を概略的に示す斜視図および正面図である。
【符号の説明】
【００４５】
１    本体
５    開口部
６    開口部
７    保護材
８    保護材
９    吊り下げ用フック材
【図１】
2008015131.tif 000003
【図２】
2008015131.tif 000004
【図３】
2008015131.tif 000005
【図４】
2008015131.tif 000006
【図５】
2008015131.tif 000007
【図６】
2008015131.tif 000008
【図７】
2008015131.tif 000009
【図８】
2008015131.tif 000010
【図９】
2008015131.tif 000011
【図１０】
2008015131.tif 000012
【図１１】
2008015131.tif 000013
【図１２】
2008015131.tif 000014